(57)【要約】      （修正有）【課題】光記憶ディスクを収容させやすい書籍を提供する。【解決手段】光ディスク５０をディスク収容部６の底面６ａへ向けて押圧すると、保持突起７が弾性変形しながら光ディスク５０の保持孔５１内へ係入され、光ディスク５０がディスク収容部６の底面６ａに当接されて、その収容が完了する。一方、光ディスク５０を抜脱する場合には、表表紙２が開かれて、折曲片９が表表紙２の内面２ｂ側から外面２ａ側へ向けて押圧される。すると、折曲片９は、折れ目９ａにて折曲されて、貫通口８を通じてディスク収容部６の底面６ａから隆起される。この隆起によって、光ディスク５０が保持突起７の頂部よりも高く浮き上げられると、光ディスク５０の保持孔５１から保持突起７が抜脱され、光ディスク５０がディスク収容部６の外へ抜脱される。【選択図】図４
0003113163.tif 000002
【実用新案登録請求の範囲】
【請求項１】
光記憶ディスクを付録可能に形成される書籍において、
厚板状に形成される表紙と、
その表紙の外面に凹設される有底状の凹部であって光記憶ディスクの外形に適合し光記憶ディスクの厚み以上の深さを有するディスク収容部と、
そのディスク収容部内の底面から突出され、その突出量が前記ディスク収容部の深さより小さく且つ光記憶ディスクの厚みより大きく、光記憶ディスクの保持孔の内径よりも外径が僅かに大きく且つ弾性変形可能に形成される保持突起と、
その保持突起の突出箇所を除いた前記ディスク収容部の底面に貫通形成されそのディスク収容部よりも内径が小さな貫通口と、
その貫通口を通じて前記ディスク収容部の底面に出没可能に形成され、前記表紙の内面側から外面側へ向けて押圧されることによって前記ディスク収容部の底面から前記保持突起の突出量よりも大きく隆起される隆起可動部とを備えていることを特徴とする書籍。
【請求項２】
前記隆起可動部は、前記貫通口の開口縁に折曲可能に連設される折曲片であることを特徴とする請求項１記載の書籍。
【請求項３】
前記折曲片は、前記ディスク収容部の底面から隆起される先端部が軟質材で形成され、且つ、平面視略弧状に形成されていることを特徴とする請求項２記載の書籍。
【請求項４】
前記折曲片は、前記貫通口の開口形状に適合する僅かに小さな外形を有して、その折曲片の非折曲状態において前記貫通口を閉塞するものであることを特徴とする請求項２又は３に記載の書籍。
【請求項５】
前記表紙は、その内面に着設され前記ディスク収容部の底面を成す厚板軟質材製の表紙基材を備えており、
前記貫通口は、前記表紙基材の厚み方向に貫通する平面視略円弧状の切り込み線によって、前記ディスク収容部の底面に平面視略半円形状に開口形成されており、
前記折曲片は、前記切り込み線によって前記ディスク収容部の底面に平面視略半円形状に象られた前記表紙基材の一部分であることを特徴とする請求項２から４のいずれかに記載の書籍。
【請求項６】
前記隆起可動部は、前記貫通口を閉塞する略シート状の軟質伸縮性素材で形成される隆起シートであることを特徴とする請求項１記載の書籍。
【請求項７】
前記表紙は、その内面に着設され前記ディスク収容部の底面を成す厚板軟質材製の表紙基材を備えており、
その表紙基材は、その平面サイズが本文用紙の判型と略等しく形成され、前記表紙の内面の縁部を除くほぼ全体に着設されていることを特徴とする請求項１から６のいずれかに記載の書籍。
【請求項８】
前記ディスク収容部の底面には、そのディスク収容部を除いた前記表紙の外面に施されるデザインに付随または関連した文字、図形、模様若しくは色彩又はこれらが結合した内容のデザインが施されていることを特徴とする請求項１から７のいずれかに記載の書籍。
【請求項９】
前記ディスク収容部は、その凹設深さが光記憶ディスクの厚みの略２倍以上かつ略４倍以下に形成されていることを特徴とする請求項１から８のいずれかに記載の書籍。
【請求項１０】
前記隆起可動部は、前記ディスク収容部の底面における前記保持突起の突出箇所とそのディスク収容部の内周壁面との略中間地点に設けられていることを特徴とする請求項１から９のいずれかに記載の書籍。
【考案の詳細な説明】
【技術分野】
【０００１】
本考案は、光記憶ディスクを付録として収容可能な書籍に関するものである。
【背景技術】
【０００２】
近年、コンパクトディスク（以下「ＣＤ（compact disc）」という。）又はＤＶＤ（digital versatile disk）などの光記憶ディスクの普及に伴い、多種多様な情報を記憶した光記憶ディスクを付録物として収容した書籍（その他の印刷物を含む。）が数多く現れてきている。例えば、実開平５−０２９７７７号や、実公平６−０１１８３８号、実公平７−０５５０９５号及び、実公平６−０１１８３７号には、書籍の表表紙の内側に綴じ込まれる台紙や表表紙内面に光記憶ディスクを収容することが可能な書籍が提案されている。
【考案の開示】
【考案が解決しようとする課題】
【０００３】
しかしながら、上記した書籍では、光記憶ディスクを書籍から取り出す場合のみならず、光記憶ディスクを書籍に収容させる場合にも、その度ごとに書籍の表表紙を開閉させねばならない。このような表表紙の開け閉めは、その１回ごとの手間はごく僅かなものではあるが、光記憶ディスクを頻繁に出し入れする書籍の使用者にとっては煩雑な作業と成り得る可能性を秘めており、ひいては、光記憶ディスクが無造作に書籍外に放置されて損傷してしまう虞がある。
【０００４】
本考案は、上述した問題点を解決するためになされたものであり、光記憶ディスクを収容させやすい書籍を提供することを目的としている。
【課題を解決するための手段】
【０００５】
この目的を達成するために、請求項１記載の書籍は、光記憶ディスクを付録可能に形成されるものであり、厚板状に形成される表紙と、その表紙の外面に凹設される有底状の凹部であって光記憶ディスクの外形に適合し光記憶ディスクの厚み以上の深さを有するディスク収容部と、そのディスク収容部内の底面から突出され、その突出量が前記ディスク収容部の深さより小さく且つ光記憶ディスクの厚みより大きく、光記憶ディスクの保持孔の内径よりも外径が僅かに大きく且つ弾性変形可能に形成される保持突起と、その保持突起の突出箇所を除いた前記ディスク収容部の底面に貫通形成されそのディスク収容部よりも内径が小さな貫通口と、その貫通口を通じて前記ディスク収容部の底面に出没可能に形成され、前記表紙の内面側から外面側へ向けて押圧されることによって前記ディスク収容部の底面から前記保持突起の突出量よりも大きく隆起される隆起可動部とを備えている。
【０００６】
この請求項１記載の書籍によれば、光記憶ディスクを書籍に収容する場合、その光記憶ディスクがディスク収容部へ嵌入され、光記憶ディスクの保持孔の周辺部が保持突起の頂部に載置される。それから光記憶ディスクがディスク収容部の底面へ向けて押圧されると、保持突起が弾性変形しながら光記憶ディスクの保持孔内へ係入されるとともに、光記憶ディスクがディスク収容部の底面に当接される。この当接をもって光記憶ディスクの収容が完了されると、光記憶ディスクは、その保持孔内に弾性変形したまま係合されている保持突起によってディスク収容部内に保持されて、表紙の外面からの脱落が防止される。
【０００７】
一方、光記憶ディスクを書籍から抜脱する場合、まず、表紙が開かれて隆起可動部が表紙の内面側から外面側へ向けて押圧される。この押圧によって隆起可動部が貫通口を通じてディスク収容部の底面から隆起されると、光記憶ディスクがディスク収容部の外側へ向けて押動される。すると、光記憶ディスクは、ディスク収容部の底面から浮き上げられ、その保持孔から保持突起が抜脱される。この抜脱後、隆起可動部が更に押圧されて隆起されると、光記憶ディスクがディスク収容部の外へと押し出されて表紙から抜脱される。
【０００８】
請求項２記載の書籍は、請求項１記載の書籍において、前記隆起可動部は、前記貫通口の開口縁に折曲可能に連設される折曲片である。
【０００９】
この請求項２記載の書籍によれば、請求項１記載の書籍と同様に作用する上、光記憶ディスクを書籍から抜脱する場合、まず、表紙が開かれて折曲片が表紙の内面側から外面側へ向けて押圧される。すると、折曲片が、貫通口との連設部分にて折曲され、貫通口を通じてディスク収容部の底面から隆起される。この折曲片の隆起によって、光記憶ディスクは、ディスク収容部の外側へ向けて押動される。
【００１０】
請求項３記載の書籍は、請求項２記載の書籍において、前記折曲片は、前記ディスク収容部の底面から隆起される先端部が軟質材で形成され、且つ、平面視略弧状に形成されている。
【００１１】
請求項４記載の書籍は、請求項２又は３に記載の書籍において、前記折曲片は、前記貫通口の開口形状に適合する僅かに小さな外形を有して、その折曲片の非折曲状態において前記貫通口を閉塞するものである。
【００１２】
請求項５記載の書籍は、請求項２から４のいずれかに記載の書籍において、前記表紙は、その内面に着設され前記ディスク収容部の底面を成す厚板軟質材製の表紙基材を備えており、前記貫通口は、前記表紙基材の厚み方向に貫通する平面視略円弧状の切り込み線によって、前記ディスク収容部の底面に平面視略半円形状に開口形成されており、前記折曲片は、前記切り込み線によって前記ディスク収容部の底面に平面視略半円形状に象られた前記表紙基材の一部分である。
【００１３】
請求項６記載の書籍は、請求項１記載の書籍において、前記隆起可動部は、前記貫通口を閉塞する略シート状の軟質伸縮性素材で形成される隆起シートである。
【００１４】
この請求項６記載の書籍によれば、請求項１記載の書籍と同様に作用する上、光記憶ディスクを書籍から抜脱する場合、まず、表紙が開かれて隆起シートが表紙の内面側から外面側へ向けて押圧される。すると、この押圧によって隆起シートが伸張されて、貫通口を通じてディスク収容部の底面から隆起され、光記憶ディスクがディスク収容部の外側へ向けて押動される。
【００１５】
請求項７記載の書籍は、請求項１から６のいずれかに記載の書籍において、前記表紙は、その内面に着設され前記ディスク収容部の底面を成す厚板軟質材製の表紙基材を備えており、その表紙基材は、その平面サイズが本文用紙の判型と略等しく形成され、前記表紙の内面の縁部を除くほぼ全体に着設されている。
【００１６】
請求項８記載の書籍は、請求項１から７のいずれかに記載の書籍において、前記ディスク収容部の底面には、そのディスク収容部を除いた前記表紙の外面に施されるデザインに付随または関連した文字、図形、模様若しくは色彩又はこれらが結合した内容のデザインが施されている。
【００１７】
請求項９記載の書籍は、請求項１から８のいずれかに記載の書籍において、前記ディスク収容部は、その凹設深さが光記憶ディスクの厚みの略２倍以上かつ略４倍以下に形成されている。
【００１８】
請求項１０記載の書籍は、請求項１から９のいずれかに記載の書籍において、前記隆起可動部は、前記ディスク収容部の底面における前記保持突起の突出箇所とそのディスク収容部の内周壁面との略中間地点に設けられている。
【考案の効果】
【００１９】
本考案の書籍によれば、光記憶ディスクを収容するディスク収容部は表紙の外面に凹設されるので、そのディスク収容部へ光記憶ディスクを収容させる場合に、その度ごとに表紙を開閉させる必要がなく、表紙が閉じられたままの状態でディスク収容部内へ光記憶ディスクを押し込んで収容させることができる。よって、光記憶ディスクの片付けに伴う操作が極めて簡素となるので、光記憶ディスクが無造作に書籍外に放置されて損傷してしまう事態を回避できるという効果がある。
【００２０】
また、光記憶ディスクをディスク収容部から取り出す場合、光記憶ディスクは、ディスク収容部の底面から隆起される隆起可動部を介して、ディスク収容部から押し出されるので、光記憶ディスク表面に指先が触れてデータ読取面を汚損させたり損傷させたりすることを防止できるという効果がある。しかも、光記憶ディスクがディスク収容部に収容される場合には、その光記憶ディスクによって、ディスク収容部の底面にある貫通口および隆起可動部を覆い隠すことができるという効果がある。
【００２１】
また、隆起可動部は保持突起の突出量よりも大きく隆起可能であるので、光記憶ディスクを保持突起の突出量以上に浮き上がらせることができ、その結果、光記憶ディスクの保持孔から保持突起を抜脱させることもできる。従って、隆起可動部を隆起させるという一つの操作によって、光記憶ディスクをディスク収容部から取り出し易く浮き上がらせることに加え、更に、光記憶ディスクと保持突起との係合状態の解除操作も併せて行うことができるという効果がある。
【００２２】
しかも、ディスク収容部の深さ（凹設深さ）は光記憶ディスクの厚みより大きいので、表紙の上に別の書籍を積み重ねる場合に、ディスク収容部に収容された光記憶ディスクが別の書籍に擦れることを防止できるという効果がある。また、ディスク収容部の外形は光記憶ディスクの外形に適合しているので、ディスク収容部内における光記憶ディスクのガタつきを防止して保持精度を向上できるという効果がある。更に、保持突起は、光記憶ディスクの保持孔に弾性変形したまま係入されるので、その保持突起の弾性復元力により光記憶ディスクを確実に保持できるという効果がある。
【００２３】
なお、請求項１記載の書籍において、保持突起とディスク収容部の底面との接合部に段差を生じないように、保持突起の一端面を前記ディスク収容部の底面に接合して、保持突起をディスク収容部の底面に植立させる。すると、ディスク収容部内に光記憶ディスクが収容されて光記憶ディスクの保持孔内に保持突起が係合される場合に、上記段差の存在により光記憶ディスクがディスク収容部の底面から浮き上がることもなく、光記憶ディスクの表面全体をディスク収容部の底面に当接させることができ、光記憶ディスクがディスク収容部内でガタつくことを防止できるという効果がある。
【００２４】
請求項３記載の書籍によれば、更に、光記憶ディスクがディスク収容部から折曲片によって押し出される場合に、光記憶ディスクの表面に接触する折曲片の先端部は軟質材で形成され且つ平面視略弧状に形成されるので、光記憶ディスク表面が折曲片との接触で損傷することを防止できるという効果がある。
【００２５】
請求項４記載の書籍によれば、更に、ディスク収容部から光記憶ディスクが抜脱されてディスク収容部の底面が外部に露出するような場合に、折曲片によって貫通口を閉塞することで、ディスク収容部の底部における貫通口の存在を分かり難くすることができるという効果がある。よって、例えば、表紙の内側にある用紙（内表紙や本紙など）が貫通口から露出することで日焼けしたり又は汚損したりすることを抑制できるという効果がある。
【００２６】
請求項５記載の書籍によれば、更に、表紙内面には表紙基材が着設されるので、ディスク収容部を凹設することに伴う表紙の剛性強度低下も抑制できるという効果がある。また、表紙自体の厚みがディスク収容部に必要な凹設深さよりもほんの僅かに大きいに過ぎない場合や、表紙自体の厚みがディスク収容部の凹設深さ未満の場合には、ディスク収容部の凹設のために不足する表紙の厚さを表紙基材で補充できる。従って、表紙自体の厚みに左右されることなく、ディスク収容部として充分な凹設深さを確保できるという効果がある。
【００２７】
また、折曲片は、表紙基材に切り込み線を貫穿することによって象られるので、例えば、切り込み線の平面形状に適合したトムソン刃型などを用いて表紙基材をプレス加工することによって容易かつ安価に形成できるという効果がある。更に、折曲片はもともと表紙基材の一部であるので、別途折曲片用の部品を表紙基材に取り付ける必要もなく、書籍の構造および製造工程を簡素化できるという効果がある。しかも、折曲片は厚板といえども軟質材製であって平面視略半円形状に象られるので、光記憶ディスクとの接触時に当該ディスク表面の損傷を防止することができるという効果がある。
【００２８】
請求項６記載の書籍によれば、更に、ディスク収容部から光記憶ディスクが抜脱されてディスク収容部の底面が外部に露出するような場合に隆起シートによって貫通口を閉塞することで、ディスク収容部の底部における貫通口の存在を分かり難くすることができるという効果がある。よって、例えば、表紙の内側にある用紙が貫通口から露出することで日焼けや汚損することを抑制できるという効果がある。しかも、光記憶ディスクの表面に接触する隆起シートは軟質伸縮性素材で形成されるので、光記憶ディスク表面への接触に伴う損傷することを防止できるという効果がある。
【００２９】
請求項７記載の書籍によれば、更に、表紙基材は書籍の内側に綴じ込まれる本文用紙の判型と略等しいので、表紙基材を一見して本文用紙の一部であるかのように見せることができる。よって、書籍の外観上、表紙基材の存在によって表紙の厚みが増したような見た目を与えることがなく、表紙が裏表紙に比して異常に肉厚となって外観的に不格好となることも防止できるという効果がある。
【００３０】
請求項８記載の書籍によれば、更に、光記憶ディスクが取り外された場合、ディスク収容部の底面に施されるデザインと表紙の外面に施されるデザインとが相俟って、書籍の表紙の外観に様々な趣向を付与できるという効果がある。
【００３１】
請求項９記載の書籍によれば、更に、ディスク収容部の凹設深さが光記憶ディスクの厚みの略２倍から略４倍の範囲とされるので、ディスク収容部に嵌合されている光記憶ディスクにあってはディスク収容部から脱落しにくくなり、ディスク収容部から光記憶ディスクを可動隆起部により押し出す場合にあっては光記憶ディスクを無理なくディスク収容部の外へ押し出させることができるという効果がある。
【００３２】
請求項１０記載の書籍によれば、更に、隆起可動部は、保持突起の突出箇所とディスク収容部の内周壁面との略中間地点に設けられるので、光記憶ディスクの直径方向一方側を保持突起に対して持ち上げるような格好で（図４（ｂ）参照）、光記憶ディスクをディスク収容部の外へ押し出すことができる。このため、保持突起の近傍で光記憶ディスクを押し上げる場合に比べて、保持突起が保持孔の開口縁部に引っ掛かって抜脱されにくくなることもなく、保持突起と光記憶ディスクとの係合状態を円滑に解除できるという効果がある。
【００３３】
更に、ディスク収容部の内周壁面近傍で光記憶ディスクを押し上げる場合に比べて、光記憶ディスクの直径方向一方側をディスク収容部の底面からより遠方へと浮き上がらせることができ（図４（ｂ）参照）、更に、光記憶ディスクをディスク収容部から取り出しやすくできるという効果がある。
【考案を実施するための最良の形態】
【００３４】
以下、本考案の好ましい実施例について、添付図面を参照して説明する。図１は、本考案の一実施例である書籍１の外観斜視図であり、光記憶ディスク（以下「光ディスク」ともいう。）５０を抜脱した状態を図示したものである。
【００３５】
図１に示すように、光ディスク５０は、略円形状の保持孔５１が平面視略中央部分に貫穿される円形板状体であり、具体的には、ＣＤやＤＶＤなどの光学的に記憶情報を読み取り可能な電子情報記憶媒体である。また、図１に示す光ディスク５０に関する代表的な寸法値は、例えば、直径が略１２０ｍｍ、厚みが略１ｍｍ、保持孔５１の内径が略１５ｍｍである。
【００３６】
なお、本願の実用新案登録請求の範囲及び明細書において用いる「書籍」とは、一般な語義である本や書物を含むものであることに加え、その他にカタログ、地図、雑誌、写真集、及び画集などの印刷物全般を含むものである。
【００３７】
図１に示すように、書籍１は、上記した光ディスク５０を付録物として付録することができる印刷物であり、平面視略長方形の厚板状に形成される表表紙２及び裏表紙３を備えている。表表紙２と裏表紙３との間には複数枚の本文用紙４が積層して綴じ込まれており、その本文用紙４と上記した表表紙２との間には、後述するディスク収容部６の底板（底面）を成す略厚板状の表紙基材５が介装されている。
【００３８】
表表紙２の外面２ａ（図１の上側面）には、光ディスク５０の外形に適合した平面視略円形状の有底凹部であるディスク収容部６が凹設されている。このディスク収容部６は、光ディスク５０を表表紙２の外面２ａに収容するための凹部であり、光ディスク５０の外径と略等しい内径を有して、光ディスク５０の厚み以上の凹設深さ、好ましくは光ディスク５０の略２倍以上かつ略４倍以下の凹設深さを有している。なお、本実施例におけるディスク収容部６の凹設深さは、例えば、略３．５ｍｍ前後とされている。
【００３９】
ここで、表表紙２の外面２ａのうちディスク収容部６を除く部分（即ち、ディスク収容部６の非凹設部分）に、所望内容のデザイン（文字、図形、模様若しくは色彩又はこれらが結合したもの）を施す一方で、ディスク収容部６の凹設部分に、ディスク収容部６の非凹設部のデザインに付随または関連した内容のデザインを施すこともできる。
【００４０】
すなわち、表表紙２におけるディスク収容部６の非凹設部と、ディスク収容部６の底面６ａと、光ディスク５０とのデザインとの相互間に関連性を持たせたデザインを施すこともでき、その結果、書籍１全体としての意匠的効果を高めて、書籍１の商品価値を向上させることもできる。
【００４１】
ディスク収容部６の底面６ａの略中央部には略円柱状の保持突起７が突出されている。保持突起７は、光ディスク５０の保持孔５１と係合されて光ディスク５０の表表紙２からの脱落を防止するためのものであり、例えば、発砲ウレタンなどの弾性変形可能な弾性材料で形成されている。この保持突起７の突出量（高さ）は、ディスク収容部６の凹設深さより小さくされる一方で光ディスク５０の厚みより大きくされており、例えば、本実施例では、略２．５ｍｍ前後とされている。
【００４２】
この保持突起７は、上記のように略円柱状体に形成されており、その一端面がディスク収容部６の底面６ａに接着剤などを介して接合され、ディスク収容部６の底面６ａから植立されている。このため、保持突起７と底面６ａとの接合部には段差がなく、ディスク収容部６内に光ディスク５０が収容され保持孔５１内に保持突起７が係合される場合、光ディスク５０の表面全体がディスク収容部６の底面６ａに当接され、光ディスク５０がディスク収容部６の底面６ａから浮き上がってガタつくことが防止される。
【００４３】
また、保持突起７の外径は、光ディスク５０の保持孔５１の内径より僅かに大きく形成されており、例えば、本実施例では、保持孔５１に比べて直径で略１ｍｍ前後大きく形成されている。もっとも、かかる保持突起７は、弾性変形可能に形成されるので、その外径よりも小さな内径の光ディスク５０の保持孔５１内へも弾性変形しながら極めてスムーズに係入可能とされている。
【００４４】
ディスク収容部６の底面６ａであって保持突起７の突出箇所を除いた箇所には、貫通口８と折曲片９とが、ディスク収容部６の半径方向（保持突起７の突出箇所からディスク収容部６の内周壁面６ｂへと向かう方向）略中間地点（図４（ｂ）参照）に位置するように設けられている。
【００４５】
貫通口８は、その開口部分のサイズ（口径）がディスク収容部６の内径に比べて小さく形成される開口部であり、折曲片９は、その貫通口８を通じてディスク収容部６の底面６ａにおいて出没される舌片である。また、折曲片９は、底面６ａとの繋ぎ目である折り目９ａを介して貫通口８の開口縁に折曲可能に連設されている。更に、折曲片９は、貫通口８の開口形状に適合するがそれよりも僅かに小さな外形を有しており、非折曲状態で貫通口８のことをほぼ全体的に閉塞できるように形成されている。
【００４６】
ここで、貫通口８は、表紙基材５の厚み方向に貫通する（図２及び図４（ｂ）参照）平面視略円弧状の切り込み線１０によって、ディスク収容部６の底面６ａに平面視略半円形状（図３参照）に開口形成されており、折曲片９は、上記切り込み線１０によってディスク収容部６の底面６ａに平面視略半円形状に象られた表紙基材５の一部分である。
【００４７】
ところで、上記した表紙基材５は、例えば、厚紙やそれに比べて軽量な発砲ウレタン、発泡スチロール又はスポンジゴムなどの厚板状の軟質材で形成される。このため、表紙基材５の一部分である折曲片９に至っても、当然に軟質材で形成されることとなる。従って、光ディスク５０と接触する場合、折曲片９により光ディスク５０の表面が損傷することを防止できる。更に、折曲片９の先端形状は略半円形状なので、光ディスク５０の損傷が一層防止される。
【００４８】
図２は、見開き状態の書籍１の平面図であり、特に、表表紙２の内面２ｂ側を図示したものである。図２に示すように、表表紙２の内面２ｂには、その表表紙２の内面２ｂの縁部を除くほぼ全体に上記した表紙基材５が接着剤や糊剤などを介して着設されており、この表紙基材５はその平面サイズが本文用紙４の判型と略等しく形成されている。
【００４９】
図３は、書籍１及び書籍ケース１１の平面図である。図３に示すように、書籍１のディスク収容部６内に光ディスク５０が収容された場合、ディスク収容部６の底面６ａ、貫通口８、折曲片９および切り込み線１０は、光ディスク１０によって覆い隠される。このため、例えば、書籍１の売買の際に、これらの部位８〜１０がディスク収容部６の底面６ａに存在することで書籍１の外観が損なわれて、書籍１の商品価値が低下してしまうような事態を回避することができる。
【００５０】
また、書籍１は、透明かつ可撓性を有する樹脂材料製の書籍ケース１１内に収容可能に形成されている。書籍ケース１１は、その一側面に書籍１を出し入れするための開口部１１ａを有した箱状体である。この書籍ケース１１内に書籍１を収容した場合、書籍ケース１１によって書籍１及び光ディスク５０が被包されるので、光ディスク５０の損傷および盗難を防止することができる。しかも、かかる書籍ケース１１は透明樹脂材料で形成されるので、書籍ケース１１の外からでも書籍１の表表紙２や光ディスク５０を視認することができる。
【００５１】
なお、書籍ケース１１により被包された書籍１を、書籍ケース１１の外側から更に透明フィルムなどで包装したり、或いは、書籍ケース１１の開口部１１ａを閉塞して封緘する蓋体を書籍ケース１１に設ければ、光ディスク５０を書籍１から抜き取る窃盗行為を予防することもできる。
【００５２】
図４（ａ）は、図３のＩＶ−ＩＶ線における断面図であり、図４（ｂ）は、図４（ａ）に示す状態にある光ディスク５０がディスク収容部６から抜脱された状態を示す断面図である。図４（ｂ）に示すように、折曲片９は、表表紙２の内面２ｂ側（図４下側）から外面２ａ側（図４上側）へ向けて押圧されることによってディスク収容部６の底面から保持突起７の突出量よりも大きく隆起される。
【００５３】
次に上記のように構成された書籍１の使用方法について説明する。まず、光ディスク５０を書籍１に収容する場合には、図１に示すように、光ディスク５０をディスク収容部６の上方に対向配置させてから、光ディスク５０をディスク収容部６へ嵌入させる。そして、光ディスク５０の保持孔５１の周辺部を、保持突起７の頂部に載置させる。それから光ディスク５０をディスク収容部６の底面６ａへ向けて押圧すると、保持突起７が弾性変形しながら光ディスク５０の保持孔５１内へ係入される。
【００５４】
そして、光ディスク５０が更に押圧されると、図４（ａ）に示すように、光ディスク５０がディスク収容部６の底面６ａに当接され、この当接をもって光ディスク５０のディスク収容部６への収容が完了する。このとき、光ディスク５０の保持孔５１内には、保持孔５１の開口縁部により弾性的に収縮変形された状態の保持突起７が係合されており、この保持突起７の弾性復元力を伴う係合によって、光ディスク５０がディスク収容部６内に保持されると共に表表紙２の外面２ａから脱落することが防止されている。
【００５５】
一方、光ディスク５０を書籍１から抜脱する場合には、まず、図２に示すように、表表紙２が開かれて、折曲片９が表表紙２の内面２ｂ側から外面２ａ側へ向けて（図１の紙面に対する奥側へ向けて）押圧される。すると、図４（ａ）に示す状態だった折曲片９は、図４（ｂ）に示すように、折れ目９ａにて折曲されて、貫通口８を通じてディスク収容部６の底面６ａから隆起される。
【００５６】
この隆起を受けて、光ディスク５０は、折曲片９によってディスク収容部６の外側（図４上側）へ向けて押動され、ディスク収容部６の底面６ａから浮き上げられる。そして、光ディスク５０が保持突起７の頂部よりも大きく浮き上げられると、光ディスク５０の保持孔５１から保持突起７が抜脱される。この抜脱後、折曲片９が更に押圧されて隆起されると、光ディスク５０がディスク収容部６の外へ押し出されて表表紙２から抜脱される。
【００５７】
次に、図５を参照して、上記実施例の変形例について説明する。図５（ａ）は、第２実施例の書籍１００の正面図である。第２実施例の書籍１００は、上記した第１実施例の書籍１に対して、表表紙２のディスク収容部６に収容された光ディスク５０を取り出すための手段を変更したものである。以下、第１実施例と同一の部分には同一の符号を付して、その説明を省略し、異なる部分のみを説明する。
【００５８】
図５（ａ）に示すように、書籍１００は、表表紙２にディスク収容部６が凹設されており、このディスク収容部６内には、第１実施例の貫通口８、折曲片９および切り込み線１０が設けられておらず、これらに代替して、ディスク収容部６の内周壁面６ｂの一部に平面視略半円状の切欠部１０１，１０１が設けられている。この切欠部１０１，１０１は、ディスク収容部６の直径方向両側に設けられ、例えば、かかる切欠部１０１，１０１に親指と人差し指とを差し入れて、光ディスク５０を摘み出せるように形成されている。
【００５９】
また、図５（ｂ）は、第３実施例の書籍２００の断面図であり、シート部材２０１が伸張された状態を図示したものである。第３実施例の書籍２００は、上記した第１実施例の書籍１の折曲片９に対して、本考案の隆起可動部の形態を変更したものである。以下、第１実施例と同一の部分には同一の符号を付して、その説明を省略し、異なる部分のみを説明する。
【００６０】
図５（ｂ）に示すように、書籍２００は、第１実施例の折曲片９に代替して、貫通口８から折曲片９を切除して、略シート状の軟質伸縮性素材、例えば弾性ゴム製のシート部材２０１を貫通口８の開口縁部に接着して、その貫通口８を閉塞させるように構成したものである。なお、シート部材２０１の素材は伸縮性を有するシート状のものであれば、弾性ゴム以外のものであっても良い。
【００６１】
この第３実施例の書籍２００によれば、光ディスク５０を書籍２００から抜脱する場合、シート部材２０１が表表紙２の内面２ｂ側から外面２ａ側へ向けて押圧されると、この押圧によってシート部材２０１が弾性的に伸張されて、貫通口８を通じてディスク収容部６の底面６ａから隆起されて、光ディスク５０がディスク収容部６の外へと抜脱されるのである。
【００６２】
以上、実施例に基づき本考案を説明したが、本考案は上記実施例に何ら限定されるものではなく、本考案の趣旨を逸脱しない範囲内で種々の改良変形が可能であることは容易に推察できるものである。
【００６３】
例えば、本実施例では、光ディスク５０の平面形状が円形状で、保持孔５１の開口形状が略円形状のものについて説明したが、光ディスクの平面形状および保持孔の開口形状は必ずしもこれに限定されるものではなく、平面形状が略長方形状のカード型の光ディスクであったり、保持孔の開口形状が矩形状など非円形状の光ディスクがあれば、その光ディスクの形態に適合するように、ディスク収容部の平面形状や、保持突起の平面形状を随時変更しても良い。また、光ディスクの外径又は保持孔の内径は上記例示以外のものでも良い。
【００６４】
更に、保持孔の位置が光ディスクの平面視略中央部分に存在しない場合にあっては、その保持孔の貫穿位置に応じて保持突起の突出箇所を変更するようにしても良い。また、本実施例では、ディスク収容部６が凹設される表紙として表表紙２を例に説明したが、本考案が適用される書籍の表紙は必ずしも表表紙に限定されるものではなく、裏表紙に対してディスク収容部及びその他の構成要素を適用することもできる。
【００６５】
また、本実施例では、書籍１を保護ケース１１内に収容することにより保護したが、書籍の保護手段は必ずしもこれに限定されるものではなく、透明ビニールシートなどの可撓性を有する透明樹脂シートで形成される書籍カバー（ブックカバー）を書籍の外装部分に装着して、書籍を保護するようにしても良い。
【００６６】
また、第２実施例では、切欠部１０１をディスク収容部６の周囲に２箇所設けたが、かかる切欠部の箇所数は必ずしも、これに限定されるものではなく、当該切欠を部をディスク収容部の周囲に１箇所のみ設けるようにしても良い。
【図面の簡単な説明】
【００６７】
【図１】本考案の一実施例である書籍の外観斜視図である。
【図２】見開き状態の書籍の平面図である。
【図３】書籍及び書籍ケースの平面図である。
【図４】（ａ）は、図３のＩＶ−ＩＶ線における断面図であり、（ｂ）は、（ａ）に示す状態にある光ディスクがディスク収容部から抜脱された状態を示す断面図である。
【図５】（ａ）は、第２実施例の書籍の正面図であり、（ｂ）は、第３実施例の書籍の断面図である。
【符号の説明】
【００６８】
１，１００，２００      書籍
２                      表表紙（表紙）
３                      裏表紙（表紙）
４                      本文用紙
５                      表紙基材
６                      ディスク収容部
６ａ                    底面（ディスク収容部の底面）
６ｂ                    内周壁面（ディスク収容部の内周壁面）
７                      保持突起
８                      貫通口
９                      折曲片（折曲片、隆起可動部）
１０                    切り込み線
５０                    光記憶ディスク，光ディスク
５１                    保持孔
２０１                  シート部材（隆起シート、隆起可動部）
【図１】
0003113163.tif 000003
【図２】
0003113163.tif 000004
【図３】
0003113163.tif 000005
【図４】
0003113163.tif 000006
【図５】
0003113163.tif 000007